(57)【要約】【課題】液滴吐出ヘッドの流路内の親水性を向上させると共に、その親水性の均一化を図る。【解決手段】印字ユニット１２の流路内に充填した親水化溶液を排出して、流路内を乾燥することにより、流路内に親水層５０を形成する。これにより、流路内が濡れた状態でなくても、流路内の親水性が向上する。また、圧力室底面積に対し、圧力室内に残存する水分の面積率が２０%以下になるように乾燥させる。これにより、親水性にムラがなく、流路内の親水性の均一化が図れる。【選択図】図５
2008132651.tif 000002
【特許請求の範囲】
【請求項１】
吐出される液滴が流通する流路と、
親水化作用を有する親水化溶液を前記流路に充填し、該親水化溶液を排出した後、前記流路内を乾燥することにより、前記流路の内壁面に形成される親水層と、
を備え、
前記親水層は、前記流路に設けられた圧力室の底面積に対し、前記圧力室内に残存する水分の面積率が２０%以下であることを特徴とする液滴吐出ヘッド。
【請求項２】
前記親水化溶液は、多価アルコール、界面活性剤及び水溶性高分子の少なくとも１つを含む溶液であることを特徴とする請求項１に記載の液滴吐出ヘッド。
【請求項３】
前記親水化溶液は、粘度が１．５〜１０ｍＰａ・Ｓであり、かつ、表面張力が４５ｍＮ／ｍ以下であることを特徴とする請求項１又は請求項２に記載の液滴吐出ヘッド。
【請求項４】
前記親水化溶液は、色材を含有することを特徴とする請求項１〜３のいずれか１項に記載の液滴吐出ヘッド。
【請求項５】
気密容器で密封されていることを特徴とする請求項１〜４のいずれか１項に記載の液滴吐出ヘッド。
【請求項６】
液滴を吐出する液滴吐出ヘッドの流路内に、親水化作用を有する親水化溶液を充填する第１工程と、
前記第１工程で充填された親水化溶液を、前記流路内から排出する第２工程と、
前記流路に設けられた圧力室の底面積に対し、前記圧力室内に残存する水分の面積率が２０%以下になるように、前記第２工程で親水化溶液が排出された前記流路内を乾燥させて、親水層を前記流路の内壁に形成する第３工程と、
を備えたことを特徴とする液滴吐出ヘッドの製造方法。
【請求項７】
前記親水化溶液は、多価アルコール、界面活性剤及び水溶性高分子の少なくとも１つを含む溶液であることを特徴とする請求項６に記載の液滴吐出ヘッドの製造方法。
【請求項８】
前記親水化溶液は、粘度が１．５〜１０ｍＰａ・Ｓであり、かつ、表面張力が４５ｍＮ／ｍ以下であることを特徴とする請求項６又は請求項７に記載の液滴吐出ヘッドの製造方法。
【請求項９】
前記親水化溶液は色材を含有すると共に、
前記第１工程と前記第２工程との間に行われ、前記親水化溶液を吐出させて所定のパターンを形成し、前記液滴吐出ヘッドの吐出不良を検査する第４工程を備えたことを特徴とする請求項６〜８にいずれか１項に記載の液滴吐出ヘッドの製造方法。
【発明の詳細な説明】
【技術分野】
【０００１】
本発明は、液滴を吐出する液滴吐出ヘッド及びその液滴吐出ヘッドの製造方法に関する。
【背景技術】
【０００２】
液滴を吐出する液滴吐出ヘッドとしてのインクジェット記録ヘッドは、製造後、印字検査による合否判断をした後、インクを抜いて出荷されることが多い。その後に、インク充填が不用意に行われると、気泡を巻込み、不吐出を発生させてしまうことがある。
【０００３】
近年のインクジェット記録ヘッドは高速高画質化の要請のため、多ノズル化、高密度化が進み、特に紙幅長のFWA（Full Width Array）ヘッドでは、１色当たり数千ものノズルを有する。このようなタイプのインクジェット記録ヘッドでは、複数の流路にインクを淀みなく行き渡らせる必要があり、充填法はさらに困難かつ重要となる。
【０００４】
インク充填を確実に行うために、濡れ性向上効果のある親水化溶液を充填すること等により、流路内へ親水性を付与し、インク充填をすることが行われてきた（例えば、特許文献１、２、３参照）。充填性という点においては、ヘッド内に親水化溶液のような液体が完全に充填されている状態でインク充填がされることが理想的である。
【特許文献１】特開２０００−１６８０５６号公報
【特許文献２】特開２０００−２１１１４９号公報
【特許文献３】特開２００３−０８０６８４号公報
【発明の開示】
【発明が解決しようとする課題】
【０００５】
しかしながら、親水化溶液を充填したままの状態で出荷すれば、親水化溶液の漏れが懸念される上、インクへの置換をサービスマンやユーザー自身が行う必要が生じ、廃液の処理や十分な充填条件の確保に問題があった。
【０００６】
一方、出荷直前に親水化溶液を抜いて出荷を行うと、ヘッド流路内に気泡が残存したり、濡れている部分と乾燥している部分とが混在したり、さらには実際にインクを充填するまでの時間が各々のヘッドによりまちまちとなり、充填性にむらが生じる懸念があった。
【０００７】
本発明は、上記事実を考慮し、液滴吐出ヘッドの流路内の親水性を向上させると共に、その親水性の均一化を図ることを目的とする。
【課題を解決するための手段】
【０００８】
本発明の請求項１に係る液滴吐出ヘッドは、吐出される液滴が流通する流路と、親水化作用を有する親水化溶液を前記流路に充填し、該親水化溶液を排出した後、前記流路内を乾燥することにより、前記流路の内壁面に形成される親水層と、を備え、前記親水層は、前記流路に設けられた圧力室の底面積に対し、前記圧力室内に残存する水分の面積率が２０%以下であることを特徴とする。
【０００９】
この構成によれば、吐出される液滴が流通する流路に、親水化作用を有する親水化溶液を充填し、その親水化溶液を排出した後、流路内を乾燥することにより、親水層が形成される。この親水層は、圧力室の底面積に対し、圧力室内に残存する水分の面積率が２０%以下となるよう乾燥される。
【００１０】
このように、流路内に充填した親水化溶液を排出して、流路内を乾燥することにより、流路内に親水層を形成するので、流路内が濡れた状態でなくても、流路内の親水性は向上する。また、親水層の残存水分が面積率で２０％を超えると、乾燥が不十分となり、流路内に濡れた部分と濡れていない部分が形成される。このため、流路内の親水性にムラが生じてしまう。
【００１１】
これに対して、本発明の請求項１では、圧力室の底面積に対し、圧力室内に残存する水分の面積率が２０%以下になるように乾燥させるので、親水性にムラがなく、流路内の親水性の均一化が図れる。
【００１２】
この状態で液滴吐出ヘッドを出荷することにより、客先での親水化溶液の排出等の煩雑さを避け、液滴吐出ヘッドの流路に液滴（例えば、インク）を充填する際の確実性を上げることができる。
【００１３】
本発明の請求項１に係る親水化溶液としては、本発明の請求項２に記載するように、多価アルコール、界面活性剤及び水溶性高分子の少なくとも１つを含む溶液を用いてもよい。
【００１４】
本発明の請求項１に係る親水化溶液としては、本発明の請求項３に記載するように、粘度が１．５〜１０ｍＰａ・Ｓであり、かつ、表面張力が４５ｍＮ／ｍ以下である親水化溶液を用いてもよい。
【００１５】
本発明の請求項４に係る液滴吐出ヘッドは、請求項１〜３のいずれか１項の構成において、前記親水化溶液は、色材を含有することを特徴とする。
【００１６】
この構成によれば、親水化溶液は、色材を含有するので、親水化溶液を吐出させて所定のパターンを形成し、液滴吐出ヘッドの吐出不良を検査することができる。これにより、親水化溶液を入れ替えることなく、液滴吐出ヘッドの吐出不良を検査できる。
【００１７】
本発明の請求項５に係る液滴吐出ヘッドは、請求項１〜４のいずれか１項の構成において、気密容器で密封されていることを特徴とする。
【００１８】
この構成によれば、液滴吐出ヘッドは気密容器で密封されているので、液滴吐出ヘッドの流路内の乾燥状態を一定に保てる。
【００１９】
本発明の請求項６に係る液滴吐出ヘッドの製造方法は、液滴を吐出する液滴吐出ヘッドの流路内に、親水化作用を有する親水化溶液を充填する第１工程と、前記第１工程で充填された親水化溶液を、前記流路内から排出する第２工程と、前記流路に設けられた圧力室の底面積に対し、前記圧力室内に残存する水分の面積率が２０%以下になるように、前記第２工程で親水化溶液が排出された前記流路内を乾燥させて、親水層を前記流路の内壁に形成する第３工程と、を備えたことを特徴とする。
【００２０】
この構成によれば、第１工程において、液滴を吐出する液滴吐出ヘッドの流路内に、親水化作用を有する親水化溶液を充填する。第２工程において、第１工程で充填された親水化溶液を流路内から排出する。第３工程において、流路に設けられた圧力室の底面積に対し、圧力室内に残存する水分の面積率が２０%以下になるように、第２工程で親水化溶液が排出された流路内を乾燥させて、親水層を流路の内壁に形成する。
【００２１】
このように、流路内に充填した親水化溶液を排出して、流路内を乾燥することにより、流路内に親水層を形成するので、流路内が濡れた状態でなくても、流路内の親水性は向上する。
【００２２】
また、圧力室の底面積に対し、圧力室内に残存する水分の面積率が２０%を超えると、乾燥が不十分となり、流路内に濡れた部分と濡れていない部分が形成される。このため、流路内の親水性にムラが生じてしまう。
【００２３】
これに対して、本発明の請求項６では、圧力室の底面積に対し、圧力室内に残存する水分の面積率が２０%以下になるように乾燥させるので、親水性にムラがなく、流路内の親水性の均一化が図れる。
【００２４】
この状態で液滴吐出ヘッドを出荷することにより、客先での親水化溶液の排出等の煩雑さを避け、液滴吐出ヘッドの流路に液滴（例えば、インク）を充填する際の確実性を上げることができる。
【００２５】
本発明の請求項６に係る親水化溶液としては、本発明の請求項７に記載するように、多価アルコール、界面活性剤及び水溶性高分子の少なくとも１つを含む溶液を用いてもよい。
【００２６】
本発明の請求項６に係る親水化溶液としては、本発明の請求項８に記載するように、粘度が１．５〜１０ｍＰａ・Ｓであり、かつ、表面張力が４５ｍＮ／ｍ以下である親水化溶液を用いてもよい。
【００２７】
本発明の請求項９に係る液滴吐出ヘッドの製造方法は、請求項６〜８のいずれか１項の構成において、前記親水化溶液は色材を含有すると共に、前記第１工程と前記第２工程との間に行われ、前記親水化溶液を吐出させて所定のパターンを形成し、前記液滴吐出ヘッドの吐出不良を検査する第４工程を備えたことを特徴とする。
【００２８】
この構成によれば、親水化溶液は色材を含有し、第１工程と第２工程との間に行われる第４工程において、親水化溶液を吐出させて所定のパターンを形成し、液滴吐出ヘッドの吐出不良を検査する。このため、親水化溶液を入れ替えることなく、液滴吐出ヘッドの吐出不良を検査できる。
【発明の効果】
【００２９】
本発明は、上記構成としたので、液滴吐出ヘッドの流路内の親水性を向上させると共に、その親水性の均一化を図ることができる。
【発明を実施するための最良の形態】
【００３０】
以下に、本発明の液滴吐出ヘッド及びその液滴吐出ヘッドの製造方法に係る実施形態の一例を図面に基づき説明する。本実施形態では、本発明の液滴吐出ヘッドとしてのインクジェット記録ヘッド及びそのインクジェット記録ヘッドの製造方法について説明する。
【００３１】
本実施形態に係るインクジェット記録ヘッド１０は、印字ユニット１２を用紙幅方向に複数並べて繋ぎ合わせて長尺状に形成されたインクジェット記録ヘッドであり、図１には、印字ユニット１２が示されている。
【００３２】
印字ユニット１２は、図１及び図２に示すように、インク中の異物を除去するフィルタユニット１４と、ヘッドユニット１６とを備えて構成されている。ヘッドユニット１６は、インクを各支流に分岐させるマニホールド１８と、振動板１９Aを含む複数の流路プレート１９を積層して形成されたジェットスタック２０とを備えて構成されている。
【００３３】
フィルタユニット１４は、インクタンク（図示省略）に接続される流入口２２からインクを流入させ、フィルタ２４を通過させた後、マニホールド１８へインクを供給する構成となっている。なお、フィルタユニット１４には気泡排出口２３が設けられ、フィルタユニット１４内部で発生した気泡が排出されるようになっている。
【００３４】
マニホールド１８に送られたインクは、マニホールド１８で複数の支流に分岐された後、ジェットスタック２０へ送られるようになっている。
【００３５】
ジェットスタック２０へ送られたインクは、供給路２６を通じて、圧力室２８へ送られ、さらに、連通路３２を通ってノズル３４へ送られる。これにより、インクは、供給路２６、圧力室２８、連通路３２及びノズル３４に充填される。圧力室２８内に充填されたインクは、圧電素子３０が電圧を印加されて変形することにより、圧力が付与され、ノズル３４からインク滴として吐出されるように構成されている。
【００３６】
なお、「流路」とは、広くはインクジェット記録ヘッド１０においてインクが流通するパスのことをいうが、本明細書においては、フィルタユニット１４からマニホールド１８を経てジェットスタック２０まで、特に狭義にジェットスタック２０内の供給路２６から圧力室２８を経由してノズル３４までのインク通路を指すこととする。
【００３７】
また、インクジェット記録ヘッド１０には、ヘッドユニット１６のノズル面３５を封止するキャップ３６が設けられている。キャップ３６がヘッドユニット１６のノズル面３５を封止し、キャップ３６に接続されたチューブ４０を通じて吸引することにより、インクを充填することができる。なお、キャップ３６とノズル面３５との間には、密閉空間を形成するためのＯリング３８が設けられている。
【００３８】
ここで、本実施形態に係るインクジェット記録ヘッドの製造方法について説明する。
【００３９】
まず、図３に示すように、ステップ１００（請求項６の第１工程に相当）において、ヘッドユニット１６の流路（供給路２６、圧力室２８、連通路３２、ノズル３４など）内に、親水化作用を有する親水化溶液を充填する。
【００４０】
親水化溶液の充填は、例えば、親水化溶液を収容したタンクを、フィルタユニット１４の流入口２２に接続し、キャップ３６でノズル面３５を封止して吸引することにより、行われる。
【００４１】
また、親水化溶液としては、多価アルコール、界面活性剤及び水溶性高分子の少なくとも１つを含む溶液であることが望ましい。
【００４２】
界面活性剤としては、１価乃至３価の多価アルコールもしくはエーテル結合を有するノニオン系界面活性剤、もしくはカルボン酸塩、硫酸塩、スルホン酸塩、リン酸塩を有するアニオン系界面活性剤が用いられ、水溶性高分子としては、多糖類、セルロース誘導体、合成高分子からなる水溶性高分子が用いられる。なお、これらの界面活性剤及び水溶性高分子は、１種単独で用いてもよいし、２種以上を併用してもよい。
【００４３】
また、親水化溶液は、粘度が１．５〜１０ｍＰａ・Ｓであり、かつ、表面張力が４５ｍＮ／ｍ以下に、粘度調整材により調整されることが望ましい。本実施形態における親水化溶液の役割は、インク充填に先立ち流路表面をくまなく親水化しておくことであり、特にジェットスタック２０内に親水化されない部位（＝溶液が行き渡らない淀み点）があると、不吐出抑制効果が十分に発揮できない。
【００４４】
したがい、流路に対して溶液は濡れやすいことが求められるが、濡れは流路材質との相互作用と液体の表面張力により決定され一義に求めることが難しい。そこで一般に溶液の表面張力をその目安とすることがしばしば行われる。
【００４５】
また、溶液粘度は、高すぎると溶液中に内在した気泡が消失しにくく、さらにノズルから吸引時に気泡を排出しにくい。また、低すぎても充填時に気泡が巻込まれやすい。そのため、本実施形態における親水化溶液としては、表面張力４５ｍN／ｍ以下、粘度１．５〜１０ｍPａ・Ｓが望ましい。以上の溶液物性範囲内にあることを、協和界面科学社製表面張力計ＣＢＶＰ-Ｚで白金プレートを試料として用いて、また粘度計独Ｈａａｋｅ社ＲＳ７５を用いて溶液温度２０°±１°になるよう付属恒温槽で制御しつつ計測した。
【００４６】
上記組成を有するため、後述する親水化溶液排出、乾燥後においても、流路壁に親水成分が微量に残存し、インク充填を良好に行うことができる。さらに上記物性を有するため親水化溶液は流路内に気泡を含有せずに充填されやすい特徴を有する。
【００４７】
次に、ステップ１０２（請求項６の第２工程に相当）において、ヘッドユニット１６の流路内に充填された親水化溶液を排出する。
【００４８】
親水化溶液の排出は、例えば、キャップ３６でノズル面３５を封止して吸引することにより、行われる。このとき、フィルタユニット１４の流入口２２は、大気に連通しても良く、また、フィルタユニット１４の流入口２２から積極的に送風しても良い。  次に、ステップ１０４（請求項６の第３工程に相当）において、ヘッドユニット１６の流路内を乾燥させて、親水化溶液を排出した時点における流路に残留する親水化溶液の残渣や上記薄層の水分を取り除く。
【００４９】
ここで、ヘッドユニット１６内の最適な乾燥状態を定量化するため、流路内、特に圧力室２８に残存した水分量と、インク充填時の気泡発生量とを下記のように関連付けし、インク充填に適した残存水分を大まかに見積る評価実験をおこなった。評価は画像処理によった。
【００５０】
すなわち、振動板１９Aを透明アクリル板にのみ変更した特注ヘッドユニットにて、親水化処理後のインク充填した時に、圧力室２８へのインクの入り方、微小気泡の発生具合等を、透明振動板側からKeyence社のマイクロスコープVH-6300により顕微鏡観察した。ビデオでの連続観察結果をTiff形式の静止画に落とし、王子製紙社製画像解析装置DA-6000にて画像処理（２値化→閾値設定→面積算出）を行い、対象物面積を算出した。
【００５１】
具体的には、（１）圧力室２８の底面積（図６（A）の斜線部分参照）と、残存する水分と思われる部分（顕微鏡の光に反射して白く見える部分）を領域指定して面積算出し（図６（B）の斜線部分参照）、両者の面積比を求めた。
【００５２】
次に、同じ圧力室２８を観察し、インクを充填したときに、（２）これまでの実績上排出されにくい１０μm以上の気泡が発生した場合の気泡の個数、を求めた（観測時間１０分を１クールとした）。（１）の面積比（以下、残存水分面積率）を横軸に、（２）の気泡個数を縦軸にとり、約２０個の圧力室に対してまとめた結果がグラフに示されている（図７参照）。
【００５３】
上記の結果から、圧力室２８が親水化溶液で満ちている（残存水分面積率100％）場合にもっとも気泡発生数が少なく、次に残存水分面積率２０％以下のときに、気泡の発生が少となることが分かる。「発明が解決しようとする課題」の欄で既述したように、親水化溶液で１００%満たされた状態では、インク置換のために過分なインクが必要であり、また搬送中の漏れが懸念される。
【００５４】
したがって、圧力室２８に残存する水分の面積率を２０％以下とすることが、その後のインク充填のハンドリングと吐出率確保の両面から好ましい。なお、５０％前後の残存水分面積率では気泡発生個数が極大値をもつ理由は、圧力室２８内の空気と親水化溶液との比率が半々程度のため、気泡が混在しているのと同じような状態になっているからと推察される。
【００５５】
ヘッドユニット１６の流路内の乾燥は、例えば、フィルタユニット１４の流入口２２から、熱風又は、中空子フィルタを介した乾燥空気をファン等で送り込む。このとき、キャップ３６でノズル面３５を封止して吸引してもよい。吸引することにより、熱風や乾燥空気が流路内に行き渡り、流路内の乾燥が促進される。
【００５６】
なお、上記のステップ１００〜１０４は工場内で行われ、ステップ１０６において、真空パックなどの気密容器で密封されて、インクジェット記録ヘッド１０は出荷される。インクジェット記録ヘッド１０が出荷された後、ステップ１０８において、客先でインクの充填が行われる。また、インクの充填は、気泡の巻込みを防止するため、なるべくゆっくりした流速で行うことが望ましい。
【００５７】
また、図４に示すように、色材を含有している親水化溶液を使用し、親水化溶液を用いて吐出不良を検査してもよい。
【００５８】
このインクジェット記録ヘッドの製造方法では、まず、図３に示す製造方法と同様に、ステップ２００（請求項６の第１工程に相当）において、ヘッドユニット１６の流路内に、親水化作用を有する親水化溶液を充填する。
【００５９】
次に、ステップ２０２（請求項９の第４工程に相当）において、親水化溶液を吐出させて所定のパターンを形成し、前記液滴吐出ヘッドの吐出不良を検査し、インクジェット記録ヘッド１０の品質についての合否を判断する。
【００６０】
親水化溶液としては、顔料や染料などの色材を含有して親水化溶液が用いられる。色材濃度の下限値は、吐出検査時に合否判断可能な印字濃度を実現できること、また、上限値は、色材の析出や沈降が生じないことを基準に決定される。
【００６１】
前者の色材濃度の下限値は、種々検査法及びインク打ち込み量や印字解像度等にも左右されるが、印字物の目視検査を前提とした場合、ブラック（Ｂｋ）やマゼンタ（Ｍａｇｅｔａ）やシアン（Ｃｙａｎ）といったはっきりした色味をもつ色材では０．０５ｗｔ％以上の濃度が必要である。
【００６２】
また、後者の色材濃度の上限値は、当該溶液の長期保存安定性を決定する要因であり、色材の溶解度もしくは分散性に依存するものの温度変動を考慮に入れると、8ｗｔ％以下が望ましい。
【００６３】
次に、ステップ２０４（請求項６の第２工程に相当）において、ヘッドユニット１６の流路内に充填された親水化溶液を排出する。
【００６４】
次に、ステップ２０６（請求項６の第３工程に相当）において、ヘッドユニット１６の流路内を乾燥させて、親水層５０を流路の内壁に形成する（図５参照）。親水層５０は、圧力室２８の底面積に対し、圧力室２８内に残存する水分の面積率が２０%以下になるまで乾燥が行われる。
【００６５】
なお、上記のステップ２００〜２０６は工場内で行われ、ステップ２０８において、真空パックなどの気密容器で密封されて、インクジェット記録ヘッド１０は出荷される。インクジェット記録ヘッド１０が出荷された後、ステップ２１０において、客先でインクの充填が行われる。
【００６６】
次に、上記の実施形態について作用を説明する。
【００６７】
本実施形態では、以上のように、流路内に充填した親水化溶液を排出して、流路内を乾燥することにより、流路内に親水層５０を形成するので、流路内が濡れた状態でなくても、流路内の親水性は向上する。
【００６８】
また、親水層５０は、圧力室底２８の底面積に対し、圧力室２８内に残存する水分の面積率が２０%以下であると、乾燥が不十分となり、流路内に濡れた部分と濡れていない部分が形成される。このため、流路内の親水性にムラが生じてしまう。
【００６９】
これに対して、本実施形態では、親水層５０を、圧力室２８の底面積に対し、圧力室２８内に残存する水分の面積率が２０%以下になるまで乾燥させるので、親水性にムラがなく、流路内の親水性の均一化が図れる。
【００７０】
この状態でインクジェット記録ヘッド１０を出荷することにより、客先での親水化溶液の排出等の煩雑さを避け、インクジェット記録ヘッド１０の流路にインクを充填する際の確実性を上げることができる。
【００７１】
なお、本実施形態では、液滴を吐出する液滴吐出ヘッドとして、インクを吐出して画像を記録するインクジェット記録ヘッドについて説明した。しかし、本発明に係る液滴吐出ヘッドとしては、記録用紙上へ画像を記録するものに限定されるものではなく、また、吐出する液体もインクに限定されるものではない。
【００７２】
本発明は、本実施形態に限るものではなく、本発明の要旨を逸脱しない限りにおいて、種々の変形、変更、改良が可能である。
【図面の簡単な説明】
【００７３】
【図１】図１は、本発明の実施形態に係るインクジェット記録ヘッドの印字ユニットを示す図である。
【図２】図２は、本実施形態に係るインクジェット記録ヘッドの印字ユニットの内部構成を示す断面図である。
【図３】図３は、本実施形態に係る製造工程を示す図である。
【図４】図４は、本実施形態に係る製造工程の変形例を示す図である。
【図５】図５は、本実施形態に係る親水層が形成されたヘッドユニットを示す断面図である。
【図６】図６（Ａ）は、本実施形態に係る圧力室の底面積を示す図であり、本実施形態に係る圧力室に残存する水分の面積を示す図である。
【図７】図７は、本実施形態に係る圧力室に残存する水分の面積率と、インクを充填したときに発生する気泡の個数の関係を示したグラフである。
【符号の説明】
【００７４】
１０   インクジェット記録ヘッド（液滴吐出ヘッド）
２６   供給路（流路）
２８   圧力室（流路）
３２   連通路（流路）
３４   ノズル（流路）
５０   親水層
【図１】
2008132651.tif 000003
【図２】
2008132651.tif 000004
【図３】
2008132651.tif 000005
【図４】
2008132651.tif 000006
【図５】
2008132651.tif 000007
【図６】
2008132651.tif 000008
【図７】
2008132651.tif 000009